(57)【要約】【目的】  本発明は、部品点数を低減でき且つ可動接点の脱落を抑制できるプッシュスイッチを提供する。【構成】  プッシュスイッチＰは、基板１０上に設けられた固定接点２０ａ、２０ｂと、接触部３１と、接触部３１よりも基板側に位置する接触部３２とを有する可動接点３０と、接触部３１が固定接点２０ａに、接触部３２が固定接点２０ｂに間隙を有して対向した状態で、可動接点３０を基板側から支承する支承部４０とを備えている。接触部３１に第１段の押下がされると、支承部４０の一部が弾性変形すると共に、可動接点３０が移動し、接触部３２が固定接点２０ｂに接触し、接触部３１に第２段の押下がされると、支承部４０の一部が弾性変形すると共に、可動接点３０が移動し、接触部３２が固定接点２０ｂに接触した後、可動接点３０が基板側に弾性変形し、接触部３１が固定接点２０ａに接触する。【選択図】      図３Ａ
2013080653.tif 000002
【特許請求の範囲】
【請求項１】
基板と、
前記基板上に設けられた第１固定接点と、
前記基板上に前記第１固定接点に間隔をあけて設けられた第２固定接点と、
第１接触部と、高さ位置が前記第１接触部の高さ位置よりも前記基板側に位置する第２接触部とを有する可動接点と、
前記第１接触部が前記第１固定接点に間隙を有して対向し、前記第２接触部が前記第２固定接点に間隙を有して対向した状態で、前記可動接点を基板側から支承する支承部とを備えており、
前記第１接触部に対して第１段の押下がされると、前記支承部の少なくとも一部が弾性変形すると共に、前記可動接点が前記基板側に移動し、前記第２接触部が前記第２固定接点に接触し、
前記第１接触部に対して前記第１段の押下よりも基板側に近い第２段の押下がされると、前記支承部の少なくとも一部が弾性変形すると共に、前記可動接点が前記基板側に移動し、前記第２接触部が前記第２固定接点に接触し、その後、前記可動接点が前記基板側に弾性変形し、前記第１接触部が前記第１固定接点に接触するプッシュスイッチ。
【請求項２】
基板と、
前記基板上に設けられた第１固定接点と、
前記基板上に前記第１固定接点に間隔をあけて設けられており且つ前記第１固定接点の高さ寸法よりも大きな高さ寸法を有する第２固定接点と、
第１、第２接触部を有する可動接点と、
前記第１接触部が前記第１固定接点に間隙を有して対向し、前記第２接触部が前記第２固定接点に間隙を有して対向した状態で、前記可動接点を基板側から支承する支承部とを備えており、
前記第１接触部に対して第１段の押下がされると、前記支承部の少なくとも一部が弾性変形すると共に、前記可動接点が前記基板側に移動し、前記第２接触部が前記第２固定接点に接触し、
前記第１接触部に対して前記第１段の押下よりも基板側に近い第２段の押下がされると、前記支承部の少なくとも一部が弾性変形すると共に、前記可動接点が前記基板側に移動し、前記第２接触部が前記第２固定接点に接触し、その後、前記可動接点が前記基板側に弾性変形し、前記第１接触部が前記第１固定接点に接触するプッシュスイッチ。
【請求項３】
請求項１又は２記載のプッシュスイッチにおいて、
前記支承部は、前記基板上に設けられた第１、第２スペーサと、
前記第１、第２スペーサに懸架されたシートとを有しており、
前記シートは、前記可動接点を支承しており且つ当該可動接点の押圧により弾性変形可能であるプッシュスイッチ。
【請求項４】
請求項３記載のプッシュスイッチにおいて、
前記可動接点は、前記第１、第２接触部の間の中間部を更に有しており、
前記シートは前記可動接点の前記中間部を支承するプッシュスイッチ。
【請求項５】
請求項４記載のプッシュスイッチにおいて、
前記シートは第１、第２開口を更に有しており、
前記第１接触部は前記可動接点の頂部であって、前記第１開口を通じて前記第１固定接点に対向しており、
前記第２接触部は前記可動接点の端部であって、前記第２開口に挿入され、前記第２固定接点に対向しているプッシュスイッチ。
【請求項６】
請求項４記載のプッシュスイッチにおいて、
前記シートは、前記中間部を支承するリングと、
このリングを支持する一対のブリッジとを更に有しているプッシュスイッチ。  
【請求項７】
請求項１又は２記載のプッシュスイッチにおいて、
前記可動接点は、前記第１、第２接触部の間の中間部を更に有しており、
前記支承部は、前記基板と前記可動接点の前記中間部との間に介在する弾性部材であるプッシュスイッチ。
【請求項８】
請求項１記載のプッシュスイッチにおいて、
前記基板は、第１面と、この第１面に設けられた凹部とを有しており、
前記凹部内には前記第１、第２固定接点が設けられており、
前記第１、第２固定接点の上面の高さ位置は、前記基板の前記第１面の高さ位置と略同じ又は前記基板の前記第１面の高さ位置よりも低いプッシュスイッチ。
【請求項９】
請求項２記載のプッシュスイッチにおいて、
前記基板は、第１面と、この第１面に設けられた凹部とを有しており、
前記凹部内には前記第１、第２固定接点が設けられており、
前記第２固定接点の上面の高さ位置は、前記基板の前記第１面の高さ位置と略同じ又は前記基板の前記第１面の高さ位置よりも低いプッシュスイッチ。
【請求項１０】
請求項１〜９の何れかに記載のプッシュスイッチにおいて、
前記反基板側から前記可動接点に接着されたカバーを更に備えているプッシュスイッチ。
【請求項１１】
請求項１〜９の何れかに記載のプッシュスイッチにおいて、
前記反基板側から前記第１、第２固定接点及び可動接点を覆うカバーを更に備えているプッシュスイッチ。
【請求項１２】
請求項３、４又は５記載のプッシュスイッチにおいて、
前記支承部は、前記基板上に設けられたリング状のスペーサを有しており、
前記第１、第２スペーサは、前記スペーサの互いに対向する一部であるプッシュスイッチ。
【請求項１３】
請求項１〜１２の何れか一つに記載のプッシュスイッチと、
前記プッシュスイッチの可動接点の第１接触部の反基板側に配置され、当該第１接触部を押下可能な押下部とを備えた入力装置。
【発明の詳細な説明】
【技術分野】
【０００１】
本発明はプッシュスイッチ及びこれを備えた入力装置に関する。
【背景技術】
【０００２】
この種のプッシュスイッチとしては第１、第２プッシュスイッチがある。第１プッシュスイッチは、基板と、この基板上に間隔をあけて配設された第１、第２、第３固定接点と、基板上に積層された第１、第２可動接点とを備えている。第１可動接点の脚部が第２固定接点に接触し、第２可動接点の脚部が第３固定接点に接触している。第２可動接点の頂部は、第１可動接点の頂部の上方に間隙を有して配置されている。第２可動接点の頂部が押下されると、当該第２可動接点が弾性変形して第１可動接点の頂部に接触し、第２、第３固定接点が導通する。第２可動接点の頂部が更に押下されると、第１、第２可動接点が弾性変形して当該第１可動接点の頂部が第１固定接点に接触し、第１、第２、第３固定接点が導通する（特許文献１参照）。
【０００３】
一方、第２プッシュスイッチは、基板と、この基板上に設けられた第１固定接点と、基板上に第１固定接点と間隔をあけて設けられた一対の第２固定接点と、基板上に設けられたスペーサと、スペーサに貼付され且つ基板に対向するテープと、このテープの基板対向面に接着された反基板側に凸の断面視円弧状の可動接点とを備えているものがある。可動接点は、テープに接着された状態で、両端部が第２固定接点に間隙を有して対向し、頂部が第１固定接点に対向している。可動接点の頂部が押下されると、可動接点の両端部が第２固定接点に接触し、当該第２固定接点が導通する。可動接点の頂部が更に押下されると、可動接点が弾性変形し、当該可動接点の頂部が第１固定接点に接触し、第１、第２固定接点が導通する（特許文献２参照）。
【先行技術文献】
【特許文献】
【０００４】
【特許文献１】特開平１１−１６２２８６号公報
【特許文献２】特開２００５−１８３１７１号公報
【発明の概要】
【発明が解決しようとする課題】
【０００５】
第１プッシュスイッチは、２つの可動接点が必要不可欠であるので、部品点数が多くなる。一方、第２プッシュスイッチは、可動接点が一つであるので、第１プッシュスイッチに比べて部品点数の低減を図ることができる。しかし、可動接点がテープに接着されているだけであるので、第２プッシュスイッチが長期間使用され、テープの接着力が低下すると、可動接点がテープから脱落する恐れがある。
【０００６】
本発明は、上記事情に鑑みて創案されたものであって、その目的とするところは、部品点数の低減を図ることができ且つ可動接点の脱落を抑制することができるプッシュスイッチ及びこれを備えた入力装置を提供することにある。
【課題を解決するための手段】
【０００７】
上記課題を解決するために、本発明の第１プッシュスイッチは、基板と、前記基板上に設けられた第１固定接点と、前記基板上に前記第１固定接点に間隔をあけて設けられた第２固定接点と、第１接触部と、高さ位置が前記第１接触部の高さ位置よりも前記基板側に位置する第２接触部とを有する可動接点と、前記第１接触部が前記第１固定接点に間隙を有して対向し、前記第２接触部が前記第２固定接点に間隙を有して対向した状態で、前記可動接点を基板側から支承する支承部とを備えている。前記第１接触部に対して第１段の押下がされると、前記支承部の少なくとも一部が弾性変形すると共に、前記可動接点が前記基板側に移動し、前記第２接触部が前記第２固定接点に接触するようになっている。前記第１接触部に対して前記第１段の押下よりも基板側に近い第２段の押下がされると、前記支承部の少なくとも一部が弾性変形する一方、前記可動接点が前記基板側に移動し、前記第２接触部が前記第２固定接点に接触し、その後、前記可動接点が前記基板側に弾性変形し、前記第１接触部が前記第１固定接点に接触するようになっている。
【０００８】
このような発明の態様による場合、可動接点が支承部により基板側から支承されているので、可動接点の脱落を抑制することができ、装置の耐久性の向上を図ることができる。また、可動接点が一つであるので、前記プッシュスイッチの部品点数の低減を図ることができる。
【０００９】
本発明の第２プッシュスイッチは、基板と、前記基板上に設けられた第１固定接点と、前記基板上に前記第１固定接点に間隔をあけて設けられており且つ高さ位置が前記第１固定接点の高さ位置よりも反基板側に位置する第２固定接点と、第１、第２接触部を有する可動接点と、前記第１接触部が前記第１固定接点に間隙を有して対向し、前記第２接触部が前記第２固定接点に間隙を有して対向した状態で、前記可動接点を基板側から支承する支承部とを備えている。前記第１接触部に対して第１段の押下がされると、前記支承部の少なくとも一部が弾性変形する一方、前記可動接点が前記基板側に移動し、前記第２接触部が前記第２固定接点に接触するようになっている。前記第１接触部に対して前記第１段の押下よりも基板側に近い第２段の押下がされると、前記支承部の少なくとも一部が弾性変形すると共に、前記可動接点が前記基板側に移動し、前記第２接触部が前記第２固定接点に接触し、その後、前記可動接点が前記基板側に弾性変形し、前記第１接触部が前記第１固定接点に接触するようになっている。
【００１０】
このような発明の態様による場合、可動接点が支承部により基板側から支承されているので、可動接点の脱落を抑制することができ、装置の耐久性の向上を図ることができる。また、可動接点が一つであるので、前記プッシュスイッチの部品点数の低減を図ることができる。
【００１１】
前記支承部は、前記基板上に設けられた第１、第２スペーサと、前記第１、第２スペーサに懸架されたシートとを有する構成とすることが可能である。前記シートは、前記可動接点を支承しており且つ当該可動接点の押圧により弾性変形可能になっている。
【００１２】
このような発明の態様による場合、シートにより可動接点が支承されているので、支承部の厚み寸法の低減を図ることができる。よって、前記プッシュスイッチの装置高の低減を図ることができる。
【００１３】
前記可動接点は、前記第１、第２接触部の間の中間部を更に有する構成とすることが可能である。この場合、前記シートは前記可動接点の前記中間部を支承する構成とすることが可能である。このような発明の態様による場合、シートが可動接点の中間部を支承するようになっているので、シートが可動接点の端部を支承する場合に比べて、支承部の外形を小さくすることが可能になる。
【００１４】
前記シートは第１、第２開口を有する構成とすることが可能である。前記第１接触部は前記可動接点の頂部であって、前記第１開口を通じて前記第１固定接点に対向する構成とすることが可能である。前記第２接触部は前記可動接点の端部であって、前記第２開口に挿入され、前記第２固定接点に対向する構成とすることが可能である。
【００１５】
このような発明の態様による場合、前記可動接点の前記第２接触部がシートの第２開口に挿入され、第２固定接点に対向しているので、更なる前記プッシュスイッチの装置高の低減を図ることができる。
【００１６】
前記シートは、前記中間部を支承するリングと、このリングを支持する一対のブリッジとを更に有する構成とすることが可能である。このような発明の態様による場合、リングで可動接点の中間部を支持するようになっているので、可動接点の支承状態が安定する。
【００１７】
また、前記可動接点が前記第１、第２接触部の間の中間部を更に有する場合、前記支承部は、前記基板と前記可動接点の前記中間部との間に介在する弾性部材で構成することが可能である。このような発明の態様による場合、支承部が弾性部材のみで構成されているので、前記プッシュスイッチの部品点数を更に低減することができる。
【００１８】
前記基板は、第１面と、この第１面に設けられた凹部とを有する構成とすることが可能である。前記凹部内には前記第１、第２固定接点が設けられている。この場合、前記第１プッシュスイッチにおいては、前記第１、第２固定接点の上面の高さ位置を、前記基板の前記第１面の高さ位置と略同じ又は前記基板の前記第１面の高さ位置よりも低くすることが可能である。前記第２プッシュスイッチにおいては、前記第２固定接点の上面の高さ位置を、前記基板の前記第１面の高さ位置と略同じ又は前記基板の前記第１面の高さ位置よりも低くすることが可能である。
【００１９】
このような発明の態様による場合、第１、第２固定接点又は第２固定接点の上面の高さ位置が、基板の第１面の高さ位置と略同じ又は基板の第１面の高さ位置よりも低いので、前記プッシュスイッチの高さ寸法を増大させることなく、可動接点に外力を加える押下部材の移動長（ストローク長）を大きくすることができる。
【００２０】
前記プッシュスイッチは、前記反基板側から前記可動接点に接着されたカバーを更に備えた構成とすることが可能である。このような発明の態様による場合、可動接点が前記カバーに接着されると共に、支承部に支承されるので、当該可動接点の脱落を更に抑制することができる。
【００２１】
前記プッシュスイッチは、前記反基板側から前記第１、第２固定接点及び可動接点を覆うカバーを更に備えた構成とすることが可能である。このような発明の態様による場合、カバーにより、第１、第２固定接点及び可動接点が覆われるので、当該可動接点及び第１、第２固定接点に対して防塵することが可能になる。
【００２２】
前記支承部は、前記基板上に設けられたリング状のスペーサを有する構成とすることが可能である。この場合、前記第１、第２スペーサは、前記スペーサの互いに対向する一部である。
【００２３】
本発明の入力装置は、上述した何れかの態様のプッシュスイッチと、前記プッシュスイッチの可動接点の第１接触部の反基板側に配置され、当該第１接触部を押下可能な押下部とを備えている。
【図面の簡単な説明】
【００２４】
【図１Ａ】本発明の実施例１に係るプッシュスイッチの概略的平面図である。
【図１Ｂ】前記プッシュスイッチの概略的正面図である。
【図２Ａ】前記プッシュスイッチの正面、平面、右側面を表した概略的分解斜視図である。
【図２Ｂ】前記プッシュスイッチの背面、底面、左側面を表した概略的分解斜視図である。
【図３Ａ】前記プッシュスイッチの図１Ａ中の３Ａ-３Ａ概略的断面図である。
【図３Ｂ】前記プッシュスイッチの図１Ａ中の３Ａ-３Ａ概略的断面図であって、可動接点の両端部が第２固定電極に接触した状態を示す図である。
【図３Ｃ】前記プッシュスイッチの図１Ａ中の３Ａ-３Ａ概略的図であって、可動接点の頂部が第１固定電極に接触した状態を示す図である。
【図４Ａ】本発明の実施例２に係る多方向入力装置の概略的平面図である。
【図４Ｂ】前記多方向入力装置の概略的正面図である。
【図５】前記多方向入力装置の図４Ａ中の５-５断面図である。
【図６】前記多方向入力装置の正面、平面、右側面を表した概略的部分分解斜視図である。
【図７】前記プッシュスイッチの設計変更例を示す概略的断面図である。
【図８】前記プッシュスイッチの別の設計変更例を示す概略的断面図である。
【発明を実施するための形態】
【００２５】
以下、本発明の実施例１及び２ついて説明する。
【実施例１】
【００２６】
まず、本発明の実施例１に係るプッシュスイッチＰついて図１Ａ〜図３Ｃを参照しつつ説明する。図１Ａ〜図２Ｂに示すプッシュスイッチＰは、基板１０と、第１固定接点２０ａと、一対の第２固定接点２０ｂと、可動接点３０と、支承部４０と、カバー５０と、補強板６０とを備えている。以下、プッシュスイッチＰの各構成要素について詳しく説明する。
【００２７】
基板１０は、図２Ａ〜図３Ａに示すように、フレキシブルプリント基板である。基板１０は、第１面１１と、その裏側の第２面と、凹部１２とを有している。基板１０の第２面には補強板６０が接着剤や両面テープで固着されている。補強板６０は基板１０よりも硬い板（例えば、金属板）である。基板１０の第１面１１には楕円形の凹部１２が設けられている。
【００２８】
第１固定接点２０ａは、図２Ａ及び図２Ｂに示すように、基板１０の凹部１２の中心部に設けられた円形の導体である。第２固定接点２０ｂは、凹部１２の第１固定接点２０ａの両側に当該第１固定接点２０ａに間隔をあけて設けられた内側に湾曲する円弧状の導体である。第１、第２固定接点２０ａ、２０ｂの上面の高さ位置は、図３Ａに示すように、基板１０の第１面１１の高さ位置と略同じに設定されている。
【００２９】
支承部４０は、図２Ａ〜図３Ａに示すように、スペーサ４１と、絶縁シート４２（シート）とを有している。スペーサ４１は、基板１０の第１面１１上に接着された矩形のリング状の両面テープである。このスペーサ４１の中心部には、当該スペーサ４１を厚み方向に貫通する貫通孔４１ａが設けられている。貫通孔４１ａは基板１０の凹部１２と同じ楕円形であって、当該凹部１２に連通している。
【００３０】
絶縁シート４２は、可撓性を有するフィルム（例えば、ＰＥＴ（Polyethylene terephthalate）フィルム）である。この絶縁シート４２は、フレーム４２ａと、一対のブリッジ４２ｂと、リング４２ｃと、第１開口４２ｄと、一対の第２開口４２ｅとを有している。フレーム４２ａは、スペーサ４１と同形状であり且つスペーサ４１の第１面１１に接着されている。フレーム４２ａの互いに対向する第１、第２端部（第１、第２スペーサ）には、矩形状のブリッジ４２ｂが設けられ、内側に延びている。ブリッジ４２ｂの間には円形のリング４２ｃが設けられている。このリング４２ｃはブリッジ４２ｂにより支持されている。ブリッジ４２ｂ及びリング４２ｃは、スペーサ４１の貫通孔４１ａ上に配置され、後述するように可動接点３０を支承する支承部本体となる。リング４２ｃ内には、円形の第１開口４２ｄが設けられている。前記支承部本体（ブリッジ４２ｂ及びリング４２ｃ）とフレーム４２ａとの間には、一対の第２開口４２ｅが設けられている。第１、第２開口４２ｄ、４２ｅは、スペーサ４１の貫通孔４１ａに連通している。
【００３１】
可動接点３０は、図２Ａ及び図２Ｂに示すように、導電性を有する楕円形の金属板であって、断面形状が上側（反基板側）に凸の円弧状となっている（図３Ａ参照）。可動接点３０は、第１接触部３１と、一対の第２接触部３２と、中間部３３とを有している。第１接触部３１は可動接点３０の頂部である。第２接触部３２は、可動接点３０の長さ方向の両端部である。中間部３３は、可動接点３０の第１接触部３１の周りのリング状の領域であって、第１、第２接触部３１、３２の間に位置している。中間部３３は、図３Ａに示すように絶縁シート４２のリング４２ｃに下側（基板側）から支承され、第１接触部３１が絶縁シート４２の第１開口４２ｄを通じて第１固定接点２０ａに間隙を有して対向し、第２接触部３２が絶縁シート４２の第２開口４２ｅに挿入され、第２固定接点２０ｂに間隙を有して対向している。この状態が可動接点３０の初期位置であり且つリング４２ｃの初期位置である。初期位置で、可動接点３０は浮いているので、第１、第２固定接点２０ａ、２０ｂに対して絶縁性が確保されている。
【００３２】
カバー５０は第１、第２固定接点２０ａ、２０ｂ及び可動接点３０を覆う可撓性を有する樹脂フィルム（例えば、ＰＥＴ（Polyethylene terephthalate）フィルム）である。このカバー５０は、接点取付部５１と、接点取付部５１の周りの固着部５２とを有している。固着部５２は、絶縁シート４２のフレーム４２ａに粘着材で接着されている。接点取付部５１は、可動接点３０に粘着材で接着されることにより、上側（反基板側）に凸のドーム状に変形し、当該可動接点３０を覆っている。この接着状態で、カバー５０が支承部４０の第１、第２開口４２ｄ、４２ｅ及び貫通孔４１ａを覆う。これにより、第１、第２開口４２ｄ、４２ｅ及び貫通孔４１ａ内に塵や埃が侵入し、第１、第２固定接点２０ａ、２０ｂ及び可動接点３０に付着するのを防止している。
【００３３】
上述した構成のプッシュスイッチＰは以下の通り組み立てられる。まず、凹部１２が設けられた基板１０を用意する。その後、サブトラクティブ法又はアディティブ法を用いて基板１０の凹部１２の底面に第１、第２固定接点２０ａ、２０ｂを形成する。サブトラクティブ法による場合、基板１０の第１面１１及び凹部１２の底面に導電層を形成する。その後、印刷又は写真手段を用いてレジストで前記導電層上に第１、第２固定接点２０ａ、２０ｂに対応するパターンを形成する。その後、前記パターンから露出する前記導電層を化学的エッチングにより除去する。その後、周知の薬剤を用いて前記レジストを除去する。残った導電層が第１、第２固定接点２０ａ、２０ｂとなる。アディティブ法による場合、基板１０の第１面１１及び凹部１２の底面にレジストを塗布する。その後、写真手段を用いて前記レジストに第１、第２固定接点２０ａ、２０ｂに対応する開口を形成する。その後、前記開口に無電解銅めっき等の手段で導電材料を析出させる。その後、周知の薬剤を用いて前記レジストを除去する。前記導電材料が第１、第２固定接点２０ａ、２０ｂとなる。なお、サブトラクティブ法又はアディティブ法を用いず、基板１０の凹部１２の底面に設けられた導電層をレーザー等で削ることにより、第１、第２固定接点２０ａ、２０ｂを得ることも可能である。
【００３４】
その後、基板１０の第２面に接着剤又は両面テープで補強板６０を固着する。その後、基板１０の第１面１１にスペーサ４１を貼付する。その後、スペーサ４１に絶縁シート４２のフレーム４２ａを固着させる。このとき、絶縁シート４２のブリッジ４２ｂ及びリング４２ｃが、スペーサ４１の貫通孔４１ａの上方に配置される。その後、可動接点３０の一対の第２接触部３２を絶縁シート４２の第２開口４２ｅに挿入する。すると、可動接点３０の中間部３３が絶縁シート４２のリング４２ｃに基板側から支持される。このとき、第１接触部３１が絶縁シート４２の第１開口４２ｄを通じて第１固定接点２０ａに間隙を有して対向配置され、第２接触部３２が第２固定接点２０ｂに間隙を有して対向配置される。その後、カバー５０の固着部５２を絶縁シート４２のフレーム４２ａに粘着材で接着すると共に、カバー５０の接点取付部５１を可動接点３０に被せ、当該可動接点３０に粘着材で接着する。このとき、カバー５０により、支承部４０の第１、第２開口４２ｄ、４２ｅ及び貫通孔４１ａが覆われる。
【００３５】
上述したプッシュスイッチＰは図示しない入力装置に備えられる。この入力装置は、プッシュスイッチＰと、押下部材（押下部）とを備えており、押下部材が直接的又は間接的に押下操作されることにより、プッシュスイッチＰの第１、第２段の押下入力が可能になっている。以下、プッシュスイッチＰの第１、第２段の押下入力について詳しく説明すると共に、プッシュスイッチＰの各構成要素の動作について説明する。
【００３６】
図３Ｂに示すように、可動接点３０の第１接触部３１が押下部材によりカバー５０の接点取付部５１を介して下側（基板側）に押下（第１段の押下）されると、可動接点３０が初期位置から下側に移動し、可動接点３０の一対の第２接触部３２が一対の第２固定接点２０ｂに接触する。これにより、第２固定接点２０ｂ間が導通し、プッシュスイッチＰの第１段の押下入力を示す信号が基板１０を通じて外部に出力される。このとき、可動接点３０の移動に伴って、カバー５０の接点取付部５１の外周部が弾性変形する一方、絶縁シート４２のブリッジ４２ｂが可動接点３０に押圧されて弾性変形し、リング４２ｃが初期位置から下側に変位する。
【００３７】
可動接点３０が押下部材の第１段の押下から解放されると、カバー５０の外周部及び絶縁シート４２のブリッジ４２ｂが復元し、リング４２ｃを初期位置に復帰させる。これに伴って、可動接点３０が初期位置に復帰する。
【００３８】
図３Ｃに示すように、可動接点３０が押下部材によりカバー５０の接点取付部５１を介して第１段の押下よりも更に下側（基板側）に押下（第１段の押下よりも基板１０に近い第２段の押下）されると、可動接点３０が初期位置から下側に移動し、可動接点３０の一対の第２接触部３２が一対の第２固定接点２０ｂに接触し、当該可動接点３０が押下部材と第２固定接点２０ｂとの間で圧縮される。これにより、可動接点３０が基板側に弾性変形し、当該可動接点３０の第１接触部３１が第１固定接点２０ａに接触する。これにより、第１、第２固定接点２０ａ、２０ｂ間が導通し、プッシュスイッチＰの第２段の押下入力を示す信号が基板１０を通じて外部に出力される。このとき、可動接点３０の移動に伴って、カバー５０の接点取付部５１の外周部が弾性変形する一方、絶縁シート４２のブリッジ４２ｂが可動接点３０に押圧されて弾性変形し、リング４２ｃが初期位置から下側に変位する。
【００３９】
可動接点３０が押下部材の第２段の押下から解放されると、可動接点３０が復元すると共に、カバー５０の外周部及び絶縁シート４２のブリッジ４２ｂが復元し、リング４２ｃを初期位置に復帰させる。これに伴って、可動接点３０が初期位置に復帰する。
【００４０】
以上のようなプッシュスイッチＰによる場合、可動接点３０が支承部４０の絶縁シート４２に下側から支承されると共に、当該可動接点３０がカバー５０に接着されているので、可動接点３０の脱落を抑制することができ、プッシュスイッチＰの耐久性の向上を図ることができる。また、可動接点３０が一つであるので、プッシュスイッチＰの部品点数の低減を図ることができる。
【００４１】
また、可動接点３０が絶縁シート４２に支承され且つ可動接点３０の両端部である第２接触部３２が絶縁シート４２の第２開口４２ｅに挿入されている。よって、プッシュスイッチＰの装置高の低減を図ることができる。また、第１、第２固定接点２０ａ、２０ｂの上面の高さ位置と、基板１０の第１面１１の高さ位置とが略同じになっているので、プッシュスイッチＰの装置高を増大させることなく、押下部材の移動長（ストローク長）を大きくすることができる。
【実施例２】
【００４２】
次に、本発明の実施例２に係るプッシュスイッチＰ’及びこれを備えた多方向入力装置について図４Ａ〜図６を参照しつつ説明する。図４Ａ〜図６に示す多方向入力装置は、押下ボタン１００の押下操作入力、ダイヤル２００の四方向の第１、第２段の傾動操作入力及びダイヤル２００の回転操作入力が可能である。前記多方向入力装置は、押下ボタン１００と、ダイヤル２００と、弾性片３００と、キートップ４００と、プッシュスイッチ５００と、４つのプッシュスイッチＰ’と、回転検出手段６００とを備えている。以下、前記多方向入力装置の各構成要素について詳しく説明する。
【００４３】
ダイヤル２００は、図４Ａ〜図５に示すように、プッシュスイッチＰ’の後述する基板１０’に対して略平行な原点位置から周囲の任意方向に傾倒操作可能であり且つ基板１０’に対して略平行に回転操作可能なリング状の樹脂製の成形品である。このダイヤル２００は、天板２１０と、軸部２２０と、外壁２３０と、固定板２４０とを有している。天板２１０の中央部には円形の孔２１１が開設されている。この天板２１０の孔２１１の下側の内周縁部には円筒状の軸部２２０が立設されている。この軸部２２０は孔２１１に連通しており且つ当該孔２１１よりも径が大きい孔２２１を有している。また、軸部２２０の下面にはリング状の金属板である固定板２４０が熱かしめ等により取り付けられている。この固定板２４０の内径は軸部２２０の孔２２１の内径と略同じであり、固定板２４０の外径は軸部２２０の外径よりも大きくなっている。このため、固定板２４０の外周縁部が軸部２２０から外側に突出している。また、天板２１０の下面の外周縁部には、軸部２２０よりも高さ寸法の小さい円筒状の外壁２３０が立設されている。天板２１０と軸部２２０と外壁２３０とが弾性片３００及びキートップ４００の後述する軸受け部４１０の上段部４１１を収容するリング状の収容空間αを区画している。
【００４４】
弾性片３００は、図５に示すように、プレス成形された円弧状の金属製の板バネである。この弾性片３００の頂部が、ダイヤル２００の天板２１０に固着され、両端部がキートップ４００の後述する凸凹面４１１ｂに弾性的に当接している。
【００４５】
キートップ４００は、図５に示すように、樹脂製の成形品である。このキートップ４００は、軸受け部４１０と、４つの脚４２０と、４つのアーム４３０と、４つの押下部４４０とを有している。軸受け部４１０は、基板１０’上に設置された断面形状が略凸字状の円筒である。この軸受け部４１０は、上段部４１１と、下段部４１２とを有している。上段部４１１には小径孔４１１ａが、下段部４１２には小径孔４１１ａに連通する大径孔４１２ａが設けられている。上段部４１１は、ダイヤル２００の収容空間αに収容され、ダイヤル２００の軸部２２０に若干の隙間を有して外嵌している。上段部４１１の小径孔４１１ａには、ダイヤル２００の軸部２２０が若干の隙間を有して挿入されている。この上段部４１１がダイヤル２００の軸部２２０を回転自在に軸支している。また、軸受け部４１０の上段部４１１の外周面は凸凹面４１１ｂが設けられている。ダイヤル２００が回転すると、弾性片３００が凸凹面４１１ｂ上を振幅移動する。これによりダイヤル２００の回転操作に操作感を付与するようになっている。
【００４６】
下段部４１２の大径孔４１２ａの底面（すなわち、小径孔４１１ａの下側の周縁部）は段差部４１２ａ１となっている。この大径孔４１２ａの径は、ダイヤル２００の固定板２４０の外径よりも大きくなっている。大径孔４１２ａ内にダイヤル２００の固定板２４０が収容され、当該固定板２４０の外周縁部が段差部４１２ａ１に当接している。ダイヤル２００が原点位置から傾動すると、ダイヤル２００の固定板２４０の傾動方向の反対側の部分が段差部４１２ａ１の前記傾動方向の反対側の部分に当接して当該ダイヤル２００の傾動の支点として機能するようになっている。下段部４１２の外周面には、下向き略Ｌ字状の脚４２０が９０°間隔で配設されている。脚４２０はプッシュスイッチＰ’の基板１０’及び補強板６０’に固着されている。
【００４７】
各アーム４３０は、図６に示すように、脚４２０間に懸架された弾性変形可能な円弧状の板である。各押下部４４０はアーム４３０の頂部の上下面に突設された突起である。この押下部４４０は、ダイヤル２００の外壁２３０の下側であり且つダイヤル２００の四つの傾動操作入力方向に対応した位置に配置され、外壁２３０に下方から当接している。すなわち、押下部４４０がダイヤル２００の前記四つの傾動操作入力方向において当該ダイヤル２００の外壁２３０を下方から支持している。これと共に、軸受け部４１０の段差部４１２ａ１がダイヤル２００の固定板２４０に上側から当接することにより、ダイヤル２００が基板１０’に対して略平行な状態（すなわち、原点位置）で維持している。押下部４４０は、プッシュスイッチＰ’の上側(反基板側）に配置され、当該プッシュスイッチＰ’に当接している。プッシュスイッチＰ’の可動接点３０が初期位置に位置する状態が、押下部４４０の初期位置となる。上述の通り、ダイヤル２００が固定板２４０の一部を支点として傾動すると、傾動方向側の押下部４４０がダイヤル２００の外壁２３０に押下され、当該押下部４４０が初期位置から下側に変位する。このとき、傾動方向側の押下部４４０に対応するアーム４３０が弾性変形する。
【００４８】
押下ボタン１００は、ボタン本体１１０と、押下部材１２０とを有している。ボタン本体１１０は、有天の円筒状であって、ダイヤル２００の孔２１１及び孔２２１に上下動自在に収容されている。このボタン本体１１０の下面には、凹部１１１が設けられている。
【００４９】
押下部材１２０は、本体部１２１と、押下用の突起１２２とを有している。本体部１２１は円柱状であって、ボタン本体１１０の凹部１１１に挿入されている。突起１２２は、本体部１２１の下面に突設された円柱である。この突起１２２は、プッシュスイッチ５００の上側（反基板側）に配置され、当該プッシュスイッチ５００に当接している。換言すると、押下部材１２０及びボタン本体１１０は、プッシュスイッチ５００の可動接点５１０により支持されている。プッシュスイッチ５００の後述する可動接点５１０が弾性変形していない状態が、押下ボタン１００（押下部材１２０及びボタン本体１１０）の初期位置となっている。押下ボタン１００は、前記初期位置から下側（基板側）に押下操作可能となっている。
【００５０】
４つのプッシュスイッチＰ’は、ダイヤル２００の上記四方向の第１、第２段の傾動操作入力を検出するためのスイッチである。このプッシュスイッチＰ’は、図６に示すように、当該プッシュスイッチＰ’の補強板６０’、基板１０’、支承部４０’のスペーサ４１’、支承部４０’の絶縁シート４２’及びカバー５０’が一体化されている点で、実施例１のプッシュスイッチＰと相違する。以下、プッシュスイッチＰ’のプッシュスイッチＰと相違する部分について詳しく説明し、重複する部分の説明については省略する。
【００５１】
一体化された基板１０’は一枚のフレキシブルプリント基板となっている。この基板１０’の第１面１１’には、４つの凹部１２’が９０°ピッチ間隔で設けられている。各凹部１２’には、実施例１と同様に、第１、第２固定接点２０ａ、２０ｂが設けられている。第１、第２固定接点２０ａ、２０ｂの上面の高さ位置は、基板１０’の第１面１１’の高さ位置と略同じに設定されている。一体化された補強板６０’は一枚の金属板となっている。この補強板６０’が基板１０’の第１面１１’の裏側の第２面に両面テープ７０’で貼付されている。なお、基板１０’は、プッシュスイッチＰ’用の基板としてだけでなく、後述するようにプッシュスイッチ５００及び回転検出手段６００用の基板としても用いられている。
【００５２】
一体化されたスペーサ４１’は矩形状の両面テープとなっている。このスペーサ４１’は基板１０’の第１面１１’に貼付されている。また、スペーサ４１’には４つの貫通孔４１ａ’が９０°ピッチ間隔で設けられている。この貫通孔４１ａ’は、基板１０’の凹部１２’と同じ形状であって、当該凹部１２’に各々連通している。また、スペーサ４１’の貫通孔４１ａ’の間には円形の開口４１ｂ’が設けられている。
【００５３】
絶縁シート４２’は、フレーム４２ａ’が一体化され、矩形状の可撓性を有するフィルムとなっている。この絶縁シート４２’に、４セットの一対のブリッジ４２ｂ’、リング４２ｃ’、第１開口４２ｄ’及び一対の第２開口４２ｅ’が９０°ピッチ間隔で設けられている。各セットにおいて、ブリッジ４２ｂ’及びリング４２ｃ’は貫通孔４１ａ’上に配置され、第１、第２開口４２ｄ’、４２ｅ’は貫通孔４１ａ’に連通している。また、各セットのブリッジ４２ｂ’及びリング４２ｃ’は、可動接点３０を支承している。また、絶縁シート４２’のフレーム４２ａ’には円形の開口４２ｆ’が設けられている。開口４２ｆ’はスペーサ４１’の開口４１ｂ’と同径であり、当該開口４１ｂ’に連通している。
【００５４】
カバー５０’は、固着部５２’が一体化され、矩形状の樹脂フィルムとなっている。このカバー５０’には、４つの接点取付部５１’が９０°ピッチ間隔で設けられている。カバー５０’の固着部５２’は絶縁シート４２’のフレーム４２ａ’に粘着材で接着され、接点取付部５１’は可動接点３０に粘着材で各々接着されている。また、カバー５０’は、実施例１と同様に、第１、第２開口４２ｄ’、４２ｅ’及び貫通孔４１ａ’を覆い、第１、第２固定接点２０ａ、２０ｂ及び可動接点３０を覆っている。また、カバー５０’の固着部５２’には、円形の開口５３’が設けられている。開口５３’は支承部４０’の開口４１ｂ’及び４２ｆ’と同径であり、当該開口４１ｂ’及び４２ｆ’に連通している。
【００５５】
プッシュスイッチ５００は、押下ボタン１００の上記押下操作入力を検出するためのスイッチである。このプッシュスイッチ５００は、基板１０’と、図示しない第１、第２固定接点と、可動接点５１０と、カバー５２０とを有している。前記第１、第２固定接点は、基板１０’の第１面１１’に間隔をあけて設けられている。可動接点５１０は、ドーム状の導電性を有する金属板である。この可動接点５１０の外周縁部が前記第２固定接点上に設置され、当該可動接点５１０の頂部が前記第１固定接点上に間隙を有して対向配置されている。カバー５２０は、可動接点５１０及び固定接点を覆い、当該可動接点５１０を基板１０’の第１面１１’に固定している。カバー５２０及び可動接点５２０は、支承部４０’の開口４１ｂ’、４２ｆ’及びカバー５０’の開口５３’に挿入されている。
【００５６】
回転検出手段６００は、図５及び図６に示すように、基板１０’と、複数の固定電極６１０と、回転電極６２０とを有している。固定電極６１０は、基板１０’の第１面１１’のプッシュスイッチ５００の第１、第２固定接点の周りにリング状に間隔をあけて設けられている。固定電極６１０は、支承部４０’の開口４１ｂ’、４２ｆ’及びカバー５０’の開口５３’から上側に露出している。回転電極６２０は、固定板１４０と共にダイヤル２００の軸部２２０の下面に熱かしめ等により固着されている。回転電極６２０の接触子の先端部は、支承部４０’の開口４１ｂ’、４２ｆ’及びカバー５０’の開口５３’に挿入され、固定電極６１０に接触可能となっている。
【００５７】
以下、上述した多方向入力装置の押下ボタン１００の押下操作入力、ダイヤル２００の四方向の第１、第２段の傾動操作入力及びダイヤル２００の回転操作入力について詳しく説明すると共に、入力時の多方向入力装置の各構成要素の動作について説明する。
【００５８】
押下ボタン１００が押下されると、ボタン本体１１０が押下部材１２０を押下する。これにより、押下部材１２０が下側（基板側）に移動し、押下部材１２０の突起１２２がプッシュスイッチ５００を押下する。このとき、プッシュスイッチ５００の可動接点５１０の頂部が突起１２２によりカバー５２０を介して押下される。すると、可動接点５１０が弾性変形し、前記頂部がプッシュスイッチ５００の第１固定接点に接触する。これにより、プッシュスイッチ５００の第１、第２固定接点が導通し、押下ボタン１００の押下操作入力を示す信号が基板１０’を通じて外部に出力される。
【００５９】
ダイヤル２００が原点位置から上記四方向のうちの任意の一方向に第１段の傾動操作がされると、ダイヤル２００が、固定板２４０の傾動方向の反対側の部分を支点として傾動する。すると、ダイヤル２００の外壁２３０の傾動方向側の部分がキートップ４００の前記傾動方向の押下部４４０を押下する。これにより、前記傾動方向のアーム４３０が弾性変形すると共に、押下部４４０が初期位置から下側（基板側）に移動して前記傾動方向のプッシュスイッチＰ’を押下する。このとき、当該プッシュスイッチＰ’の可動接点３０が押下部４４０によりカバー５０’の接点取付部５１’を介して下側（基板側）に押下（第１段の押下）される。これにより、可動接点３０が初期位置から下側に移動し、可動接点３０の一対の第２接触部３２が一対の第２固定接点２０ｂに接触する。これにより、第２固定接点２０ｂ間が導通し、前記傾動方向のプッシュスイッチＰ’の第１段の傾動操作入力を示す信号が基板１０’を通じて外部に出力される。このとき、可動接点３０’の移動に伴って、カバー５０’の接点取付部５１’の外周部が弾性変形し、絶縁シート４２’のブリッジ４２ｂ’が可動接点３０に押圧されて弾性変形し、リング４２ｃ’が初期位置から下側に変位する。
【００６０】
その後、ダイヤル２００が解放されると、カバー５０’の外周部及び絶縁シート４２’のブリッジ４２ｂ’が復元し、リング４２ｃ’を初期位置に復帰させる。これに伴って、可動接点３０’が初期位置に復帰し、押下部４４０を初期位置に押し上げる。このとき、アーム４３０が復元することによっても、押下部４４０を初期位置に復帰させる力を付与する。
【００６１】
ダイヤル２００が原点位置から上記四方向のうちの任意の一方向に第１段の傾動操作よりも更に傾斜の大きい傾動操作（第２段の傾動操作）されると、ダイヤル２００が、固定板２４０の傾動方向の反対側の部分を支点として傾動する。すると、ダイヤル２００の外壁２３０の傾動方向側の部分がキートップ４００の前記傾動方向の押下部４４０を押下する。これにより、前記傾動方向のアーム４３０が弾性変形すると共に、押下部４４０が初期位置から下側（基板側）に移動して前記傾動方向のプッシュスイッチＰ’を押下する。このとき、当該プッシュスイッチＰ’の可動接点３０が押下部４４０によりカバー５０’の接点取付部５１’を介して第１段の押下よりも更に下側（基板側）に押下（第１段の押下よりも基板１０’に近い第２段の押下）される。これにより、可動接点３０が初期位置から下側に移動し、可動接点３０の一対の第２接触部３２が一対の第２固定接点２０ｂに接触し、当該可動接点３０が押下部４４０と第２固定接点２０ｂとの間で圧縮される。これにより、可動接点３０が基板側に弾性変形し、当該可動接点３０の第１接触部３１が第１固定接点２０ａに接触する。これにより、第１、第２固定接点２０ａ、２０ｂ間が導通し、前記傾動方向のプッシュスイッチＰ’の第２段の傾動操作入力を示す信号が基板１０’を通じて外部に出力される。このとき、可動接点３０の移動に伴って、カバー５０’の接点取付部５１’の外周部が弾性変形する一方、絶縁シート４２’のブリッジ４２ｂ’が可動接点３０に押圧されて弾性変形し、リング４２ｃ’が初期位置から下側に変位する。
【００６２】
その後、ダイヤル２００が解放されると、カバー５０’の外周部及び絶縁シート４２’のブリッジ４２ｂ’が復元し、リング４２ｃ’を初期位置に復帰させる。これに伴って、可動接点３０’が初期位置に復帰し、押下部４４０を初期位置に押し上げる。このとき、アーム４３０が復元することによっても、押下部４４０を初期位置に復帰させる力を付与する。
【００６３】
ダイヤル２００が回転操作されると、ダイヤル２００の軸部２２０がキートップ４００の軸受け部４１０を中心として周方向に回転する。このとき、ダイヤル２００の回転に応じて弾性片３００の両端部がキートップ４００の軸受け部４１０の凸凹面４１１ｂ上を振幅移動し、該ダイヤル２００の回転操作に操作感を付与する。これと共に、ダイヤル２００の軸部２２０の下端部に取り付けられた回転電極６２０が、基板１０’の第１面１１’上を摺動し、複数の固定電極６１０に選択的に接触する。これにより、ダイヤル２００の回転方向及び回転量を示す信号が出力される。
【００６４】
以上のようなプッシュスイッチＰ’による場合、可動接点３０が支承部４０’の絶縁シート４２’に下側から支承されると共に、当該可動接点３０がカバー５０’に接着されているので、可動接点３０の脱落を抑制することができ、プッシュスイッチＰ’の耐久性の向上を図ることができる。また、各プッシュスイッチＰ’において、可動接点３０が一つであるので、プッシュスイッチＰ’の部品点数の低減を図ることができる。
【００６５】
また、可動接点３０が絶縁シート４２’に支承され且つ可動接点３０の両端部である第２接触部３２が絶縁シート４２’の第２開口４２ｅ’に挿入されている。よって、プッシュスイッチＰ’の装置高の低減を図ることができる。また、第１、第２固定接点２０ａ、２０ｂの上面の高さ位置と、基板１０’の第１面１１’の高さ位置とが略同じになっているので、プッシュスイッチＰ’の装置高を増大させることなく、押下部４４０の移動長（すなわち、ダイヤル２００の傾動のストローク長）を大きくすることができる。
【００６６】
なお、上述したプッシュスイッチＰ及び入力装置は、上記実施例１に限定されるものではなく、特許請求の範囲の記載範囲において任意に設計変更することが可能である。また、上述したプッシュスイッチＰ’及び多方向入力装置も、上記実施例２に限定されるものではなく、特許請求の範囲の記載範囲において任意に設計変更することが可能である。以下、詳しく述べる。
【００６７】
上記実施例１及び２では、基板はフレキシブルプリント基板であるとしたが、絶縁性を有する板である限りどのようなものを用いても構わない。例えば、前記基板としてリジッド基板や第１面に絶縁処理が施された板等を用いることが可能である。
【００６８】
上記実施例１及び２では、第１、第２固定接点が基板の凹部の底面に設けられているとした。しかし、第１、第２固定接点は、基板に間隔をあけて設けられている限り任意に設計変更することが可能である。例えば、第１、第２固定接点を基板の第１面に設けることも可能である。この場合、基板の凹部は省略される。
【００６９】
上記実施例１及び２では、第２固定接点は二つであるとしたが、少なくとも一つあれば良い。例えば、カバー又は絶縁シート上の導電ラインを介して可動接点が他の接点に接続されている場合、第２固定接点を一つとすることができる。
【００７０】
上記実施例１及び２では、第１、第２固定接点の上面の高さ位置が、基板の第１面の高さ位置と略同じであるとした。しかし、第１、第２固定接点の上面の高さ位置は、基板の第１面の高さ位置よりも高くすることができるし、基板の第１面の高さ位置よりも低くすることもできる。また、図７に示すように、第２固定接点２０ｂ’の上面の高さ位置を、第１の固定接点２０ａの上面の高さ位置よりも高く設定することも可能である。この場合、第２固定接点２０ｂ’の上面の高さ位置が、基板１０の第１面１１の高さ位置と略同じ又はそれ以下に設計変形することが可能である。
【００７１】
上記実施例１及び２では、可動接点は反基板側に凸の断面視円弧状であるとしたが、可動接点の形状は任意に設計変更することが可能である。例えば、図７に示すように、第２固定接点２０ｂ’の上面の高さ位置が、第１の固定接点２０ａの上面の高さ位置よりも高い場合（すなわち、第２固定接点２０ｂ’の高さ寸法が、第１の固定接点２０ａの高さ寸法よりも大きい場合）、可動接点３０’はフラットな板とすることが可能である。この場合、押下部により可動接点３０’に対して第１段の押下がされると、可動接点３０’が初期位置から下側に移動し、可動接点３０’の第２接触部３２’が絶縁シート４２の第２開口４２ｅを通じて第２固定接点２０ｂ’に接触する。押下部により可動接点３０’に対して第２段の押下がされると、可動接点３０’が初期位置から下側に移動し、可動接点３０’の第２接触部３２’が第２固定接点２０ｂ’に接触する一方、当該可動接点３０’の第１接触部３１’が押下部に押圧される。これにより、可動接点３０’が基板側に弾性変形し、当該可動接点３０’の第１接触部３１’が絶縁シート４２の第１開口４２ｄを通じて第１固定接点２０ａ’に接触する。このとき、可動接点３０’の移動に伴って、カバー５０’’が弾性変形する一方、絶縁シート４２のブリッジ４２ｂが可動接点３０’に押圧されて弾性変形し、リング４２ｃが初期位置から下側に変位する。なお、上記可動接点は、断面形状がＷ字状とすることも可能である。
【００７２】
上記実施例１及び２では、第１接触部は可動接点の頂部、第２接触部は可動接点の端部であるとした。しかし、第１接触部は、可動接点が支承部に支承された状態で、第１固定接点に間隙を有して対向し得る限り、可動接点のどの部分であっても構わない。また、第２接触部も、可動接点が支承部に支承された状態で、第２固定接点に間隙を有して対向し得る限り、可動接点のどの部分であっても構わない。例えば、可動接点がフラットな板である場合、第１接触部は可動接点の中央部とすることが可能である。また、可動接点の断面形状がＷ字状である場合には、第２接触部は折り曲げ部とすることが可能である。
【００７３】
上記実施例１及び２では、第２接触部の高さ位置は、第１接触部の高さ位置よりも基板側に位置するとしたが、これに限定されるものではない。例えば、図７に示すように、可動接点３０’がフラットな板である場合、第２接触部３２’の高さ位置と、第１接触部３１’の高さ位置とは同じにすることができる。
【００７４】
上記実施例１及び２では、支承部は、スペーサと、絶縁シートとを有するとした。しかし、支承部は、可動接点を基板側から支承し、第１接触部を第１固定接点に間隙を有して対向させ、第２接触部を第２固定接点に間隙を有して対向させ得る限り任意に設計変更することが可能である。例えば、図８に示すように、支承部４０’’は、基板１０と可動接点３０の中間部３３との間に介在するゴム等の弾性部材とすることが可能である。
【００７５】
また、上記実施例１及び２では、スペーサは、リング状であるとしたが、少なくとも互いに対向配置される第１、第２スペーサを有する限り任意に設計変更することが可能である。上記実施例１及び２では、絶縁シートは、フレームと、一対のブリッジと、リングと、第１開口と、一対の第２開口とを有するとした。しかし、絶縁シートは、第１、第２スペーサに懸架され、前記可動接点を支承しており且つ当該可動接点の押圧により弾性変形可能である限り任意に設計変更することが可能である。例えば、絶縁シートは、第１、第２スペーサに貼付された第１、第２支持部と、この第１、第２支持部に懸架されており且つ可動接点の中間部又は端部を支承する第１、第２梁部とを有する構成とすることが可能である。この場合、第１、第２梁部の間が第１開口となり、第１、第２梁部の外側が第２開口となる。なお、支承部のシートは絶縁性を有するシートに限定されるものではなく、導電性を有するシート等その他のシートを用いることも可能である。
【００７６】
上記実施例１及び２では、カバーがプッシュスイッチの第１、第２固定接点及び可動接点を覆い且つ可動接点に接着されているとした。しかし、カバーは省略可能である。また、カバー５０は、第１、第２固定接点及び可動接点を覆うことができるものである限り、その形状を任意に設計変更することが可能である。例えば、図７に示すように、可動接点３０’がフラットな板である場合、カバー５０’’は可動接点３０’が接着された状態でも、平坦な樹脂フィルムである。また、カバーは、第１、第２固定接点及び可動接点を覆うことなく、反基板側から可動接点に接着のみされた態様とすることが可能である。この場合も、可動接点が支承部とカバーとで保持されるので、可動接点の脱落を抑制する上でメリットがある。
【００７７】
上記実施例２では、プッシュスイッチＰ’は、ダイヤル２００の上記四方向の第１、第２段の傾動操作入力を検出するためのスイッチであるとした。しかし、プッシュスイッチＰ’は、ダイヤル２００の上記四方向未満又は五方向以上の第１、第２段の傾動操作入力を検出するためのスイッチとすることが可能である。また、上記実施例２では、プッシュスイッチ５００が、押下ボタン１００の上記押下操作入力を検出するとした。しかし、プッシュスイッチ５００に変えて、プッシュスイッチＰ’を用いることが可能である。
【００７８】
上記実施例１では、押下部材（押下部）は直接的又は間接的に操作可能であるとした。また、実施例２では、押下部４４０は、キートップ４００の一部であるとした。しかし、押下部は、プッシュスイッチの可動接点の第１接触部の反基板側に配置され、当該第１接触部を押下可能である限り任意に設計変更することが可能である。
【００７９】
なお、上記実施例１及び２では、プッシュスイッチ及び入力装置（多方向入力装置を含む。）の各構成要素を構成する素材、形状、寸法、数及び配置等はその一例を説明したものであって、同様の機能を実現し得る限り任意に設計変更することが可能である。
【符号の説明】
【００８０】
Ｐ・・・・・プッシュスイッチ
１０・・・基板
１１・・凹部
２０ａ・・第１固定接点
２０ｂ・・第２固定接点
３０・・・可動接点
３１・・第１接触部
３２・・第２接触部
３３・・中間部
４０・・・支承部
４１・・スペーサ
４２・・絶縁シート（シート）
４２ａ・・フレーム
４２ｂ・・ブリッジ
４２ｃ・・リング
４２ｄ・・第１開口
４２ｅ・・第２開口
５０・・・カバー
Ｐ’・・・・プッシュスイッチ
１０’・・基板
１１’・凹部
２０ａ・・第１固定接点
２０ｂ・・第２固定接点
３０・・・可動接点
３１・・第１接触部
３２・・第２接触部
３３・・中間部
４０’・・支承部
４１’・スペーサ
４２’・絶縁シート（シート）
４２ａ’・フレーム
４２ｂ’・ブリッジ
４２ｃ’・リング
４２ｄ’・第１開口
４２ｅ’・第２開口
５０’・・カバー
４４０・・・押下部
【図１Ａ】
2013080653.tif 000003
【図１Ｂ】
2013080653.tif 000004
【図２Ａ】
2013080653.tif 000005
【図２Ｂ】
2013080653.tif 000006
【図３Ａ】
2013080653.tif 000007
【図３Ｂ】
2013080653.tif 000008
【図３Ｃ】
2013080653.tif 000009
【図４Ａ】
2013080653.tif 000010
【図４Ｂ】
2013080653.tif 000011
【図５】
2013080653.tif 000012
【図６】
2013080653.tif 000013
【図７】
2013080653.tif 000014
【図８】
2013080653.tif 000015